【手続補正書】
【提出日】平成16年1月19日(2004.1.19)
【手続補正１】
【補正対象書類名】明細書
【補正対象項目名】請求項１
【補正方法】変更
【補正の内容】
【請求項１】
合成樹脂成型品で一面の両側に嵌合用の側壁を両端方向に亘るように形成した扁平な第１のボディと、上記側壁に両端方向に一定間隔で保持された導電性金属板製のポストとを備えたヘッダと、
このヘッダの両側側壁を嵌合する凹所を一面の両側に設けた第２のボディと、上記凹所の両端方向に直交するとともに凹所を跨ぐように凹所の両端方向に一定間隔で設けた各凹部内に収納される複数の導電性金属板製のコンタクトとを備えたソケットとで構成され、
上記ポストは、上記第１のボディの上記側壁の外側面に露出させた第１の接触面部と上記側壁の内側面に露出させた第２の接触面部と、両接触面部間を一体連結して上記側壁の先端部を覆う中央連結部とからなり、上記第２の接触面部の一端には一部が上記側壁基部にインサートされ、上記第１のボディの他面側から上記側壁に直交する外側方へ突出された端子部を一体に備え、
上記コンタクトは、収納される上記凹部の外側の壁に一端が保持されるとともに該外側の壁の内面に沿うように配置され、対応する上記ポストの第１の接触面部が接触する接触部を有する第１の接触片と、上記凹部の底部側の第１の接触片の一端から上記凹部の底部に並行するように延長形成された横片と、この横片の先端から凹部の底部との間で撓み可能な隙間を設けるように延長形成された第１の撓み片と、この第１の撓み片の先部から折り返し、この折り返し部位から上記第１の接触片側へ延長形成した第２の撓み片と、この第２の撓み片の先端から凹部の底部方向に屈曲部を第１の接触片方向に突出させた略く字状の第２の接触片とからなり、上記第１の接触片と該第１の接触片の他端に一端が連結され上記凹部の外側の壁の先端を亘る中央片と該片の他端から該壁の外側面に沿うように第２のボディの他面側へ延長された外側片とで構成された保持部と、該外側片の延長先端から該外側片に直交する外方向へ突出された端子部とを一体に備えたことを特徴とするコネクタ。
【手続補正２】
【補正対象書類名】明細書
【補正対象項目名】請求項２
【補正方法】変更
【補正の内容】
【請求項２】
導電性金属板を潰してコンタクトの少なくともコンタクトの横片、第１，第２の接触片、第２の接触片の厚さを保持部の中央片、外側片及び端子部の厚さより薄く形成したことを特徴とする請求項１記載のコネクタ。
【手続補正３】
【補正対象書類名】明細書
【補正対象項目名】請求項３
【補正方法】変更
【補正の内容】
【請求項３】
上記第１の撓み片を上記横片から上記折り返し部位へ上がり傾斜した傾斜片で形成し、上記第２の撓み片を上記折り返し部位から先端まで上がり傾斜した傾斜片で形成し、上記折り返し部位の高さ位置と、上記第２の接触片の屈曲部の高さ位置をほぼ同じ高さ位置とするとともに、ポストが第１、第２の接触片間に所定位置まで圧入される途中で第１，第２の撓み片の撓みにより第２の接触片の下端が横片に当接可能なように第２の接触片の下端位置を設定し、ポストの所定位置への圧入時に第１、第２の撓み片を撓み時に蓄積されたばね力により元の位置へ復帰可能な形状としたことを特徴とする請求項１又は２記載のコネクタ。
【手続補正４】
【補正対象書類名】明細書
【補正対象項目名】０００６
【補正方法】変更
【補正の内容】
【０００６】
この従来例ではヘッダ１０をソケット１に嵌合する場合にはヘッダ１０のボディ１１の溝部１１ａ内にソケット１のボディ２の凸部１５を図１０に示すように嵌めるのであるが、この際ヘッダ１０のポスト１２の下端のＲ面１２ａがコンタクト４のばね片４ａの上端部の傾斜面に当接してばね片４ａを外側方向に撓ませながら凸部１５の壁面とコンタクト４との間にポスト１２及びボディ１１の側壁が嵌ることになり、ポスト１２の側面にはコンタクト４の接触部９が弾接することになる。


【手続補正５】
【補正対象書類名】明細書
【補正対象項目名】００１０
【補正方法】変更
【補正の内容】
【００１０】
【課題を解決するための手段】
請求項１の発明では、合成樹脂成型品で、一面の両側に嵌合用の側壁を両端方向に亘るように形成した扁平な第１のボディと、上記側壁に両端方向に一定間隔で保持された導電性金属板製のポストとを備えたヘッダと、このヘッダの両側側壁を嵌合する凹所を一面の両側に設けた第２のボディと、上記凹所の両端方向に直交するとともに凹所を跨ぐように凹所の両端方向に一定間隔で設けた各凹部内に収納される複数の導電性金属板製のコンタクトとを備えたソケットとで構成され、上記ポストは、上記第１のボディの上記側壁の外側面に露出させた第１の接触面部と上記側壁の内側面に露出させた第２の接触面部と、両接触面部間を一体連結して上記側壁の先端部を覆う中央連結部とからなり、上記第２の接触面部の一端には一部が上記側壁基部にインサートされ、上記第１のボディの他面側から上記側壁に直交する外側方へ突出された端子部を一体に備え、上記コンタクトは、収納される上記凹部の外側の壁に一端が保持されるとともに該外側の壁の内面に沿うように配置され、対応する上記ポストの第１の接触面部が接触する接触部を有する第１の接触片と、上記凹部の底部側の第１の接触片の一端から上記凹部の底部に並行するように延長形成された横片と、この横片の先端から凹部の底部との間で撓み可能な隙間を設けるように延長形成された第１の撓み片と、この第１の撓み片の先部から折り返し、この折り返し部位から上記第１の接触片側へ延長形成した第２の撓み片と、この第２の撓み片の先端から凹部の底部方向に屈曲部を第１の接触片方向に突出させた略く字状の第２の接触片とからなり、上記第１の接触片と該第１の接触片の他端に一端が連結され上記凹部の外側の壁の先端を亘る中央片と該片の他端から該壁の外側面に沿うように第２のボディの他面側へ延長された外側片とで構成された保持部と、該外側片の延長先端から該外側片に直交する外方向へ突出された端子部とを一体に備えたもので、少なくともコンタクトの横片、第１，第２の接触片、第２の接触片の厚さを保持部の中央片、外側片及び端子部の厚さより薄く形成してばね性を持たせるとともに、上記第２の接触片の屈曲部と、上記第１の接触片の接触部との間の水平面への投影距離をポストの両側接触面部間の寸法よりも小さくしたので、該寸法に対してコンタクトの第２の接触片の屈曲部から、ばね性を持つ横片の基端までの距離が大きくとれ、そのためソケットに対するヘッダの嵌合時に、ポストの圧入力を受けてコンタクトに発生する応力をコンタクトの全長で分散させることができ且つ十分なポストへの接触力を確保することができ、接触信頼性を高めることができる上にへたりにくにいコンタクトを持つソケットを実現でき、その上ポストとコンタクトとの接触が２点接触であるためポストのコンタクトへの圧入時のこじり等によるストレスに強くなるという効果がある。


【手続補正６】
【補正対象書類名】明細書
【補正対象項目名】００１１
【補正方法】変更
【補正の内容】
【００１１】
請求項２の発明では、請求項１の発明において、導電性金属板を潰してコンタクトの少なくともコンタクトの横片、第１，第２の接触片、第２の接触片の厚さを保持部の中央片、外側片及び端子部の厚さより薄く形成したので、コンタクトのこれらの片のばね特性が加工硬化により良くなる上に、保持部及び端子部の厚さを確保することで十分な強度が得られ、ボディへの組み込み前や、組み込み時の変形が防止できるという効果がある。


【手続補正７】
【補正対象書類名】明細書
【補正対象項目名】００１２
【補正方法】変更
【補正の内容】
【００１２】
請求項３の発明では、請求項１又は２の発明において、上記第１の撓み片を上記横片から上記折り返し部位へ上がり傾斜した傾斜片で形成し、上記第２の撓み片を上記折り返し部位から先端まで上がり傾斜した傾斜片で形成し、上記折り返し部位の高さ位置と、上記第２の接触片の屈曲部の高さ位置をほぼ同じ高さ位置とするとともに、ポストが第１、第２の接触片間に所定位置まで圧入される途中で第１，第２の撓み片の撓みにより第２の接触片の下端が横片に当接可能なように第２の接触片の下端位置を設定し、ポストの所定位置への圧入時に第１、第２の撓み片を撓み時に蓄積されたばね力により元の位置へ復帰可能としてあるので、ポストのコンタクトへの圧入時にポストの圧入力によって第１、第２の撓み片を下方向へ撓わませて、コンタクトの接触片の屈曲部とポストの第２の接触面部との摩擦力を小さくする方向に折り返し部位を移動させることができ、そのためポストをコンタクトに対して、座屈変形させることなく圧入することができ、またポストのコンタクトへの所定位置までの圧入時に第１，２の撓み片の復帰力で接触片の屈曲部を所定位置まで復帰させることができるので、ポストのコンタクトへの圧入長を低背でも十分にとれることができ、接触信頼性も更に高くなるという効果がある。


【手続補正８】
【補正対象書類名】明細書
【補正対象項目名】００１８
【補正方法】変更
【補正の内容】
【００１８】
コンタクト２２は図５に示すようにベリリウム銅からなる導電性金属板を打ち抜き、曲げ加工して形成されたもので、プリント基板への半田付けのための端子部２６と、上記側壁２４Ａを挟持してコンタクト２２をボディ２１に保持させるための保持部２７とを一体に連続形成している。


【手続補正９】
【補正対象書類名】明細書
【補正対象項目名】００２０
【補正方法】変更
【補正の内容】
【００２０】
保持部２７は逆Ｕ字状に折り曲げ形成されたもので、端子部２６の基部に一端が連続する側の側片２７ａを端子部２６と板厚を同じとし且つ幅寸法を端子部２６の基部よりも幅広に形成するとともに側片２７ａの略中央部に外側方へ係止用突起２８，２８を突出させている。そして側片２７ａの上端から連続する中央片２７ｂとこの中央片２７ｂから更に垂下する側片２７ｃの板厚を、形成材料である導電性金属板を潰すことで端子部２６や側片２７ａの板厚より薄く形成し、上部を側片２７ａとは反対方向に突出するように湾曲させるとともに、該湾曲部２７ｄ位置の下部と側片２７ａの内側面との間の寸法を上記側壁２４Ａの上記厚さと同等若しくはやや小さくしてある。


【手続補正１０】
【補正対象書類名】明細書
【補正対象項目名】００２８
【補正方法】変更
【補正の内容】
【００２８】
而してボディ２１の両側において、長手方向にコンタクト２２を一定間隔で装着することでソケット２０が完成される。このソケット２０は、各コンタクト２２に一体形成されている端子部２６の半田付け部２６ａをプリント基板Ｐ上の回路パターンに半田付け固定することで使用される。このプリント基板Ｐに半田付けされた状態で、各コンタクト２２の横片２２ａの下面とプリント基板Ｐの上面との間には、図１に示すようにコンタクト２２の横片２２ａの下方への撓みを可能とする隙間Ｓができることになる。


【手続補正１１】
【補正対象書類名】明細書
【補正対象項目名】００３２
【補正方法】変更
【補正の内容】
【００３２】
ここで接触面部４２ａ、４２ｂを含む側壁４４Ａが、ソケット２０のコンタクト２２の接触片２２ｄの屈曲部２２ｅと、保持部２７の側片２７ｃの湾曲部２７ｄとの間に圧入される部位となり、接触面部４２ａに対して側片２７ｃの湾曲部２７ｄの先端が、また接触面部４２ｂには接触片２２ｄの屈曲部２２ｅの先端が夫々接触する２点接触により電気的にコンタクト２２に接続される。


【手続補正１２】
【補正対象書類名】明細書
【補正対象項目名】００３４
【補正方法】変更
【補正の内容】
【００３４】
更にボディ４１の両端の側壁４４Ｂの中央部には側面形状が逆Ｕ字状に折り曲げ形成された補強金具４６を側壁４４Ｂに跨るように嵌着しており、側壁４４Ｂの外側面に沿う補強金具４６の外側面には上記ソケット２０のボディ２１側の上記ロック用係合凹部（図示せず）に係合する突起４７を設けてある。


【手続補正１３】
【補正対象書類名】明細書
【補正対象項目名】００３８
【補正方法】変更
【補正の内容】
【００３８】
一方傾斜片２２ｃの先部の接触片２２ｄは下方移動してその下端が横片２２ａと傾斜片２２ｂの境界部位付近に当たり、また接触片２２ｄとポスト４２との摩擦力が弱まってポスト４２の先部が接触片２２ｄの屈曲部２２ｅを乗り越え、屈曲部２２ｅがポスト４２の接触面部４２ｂに接触することになる。


【手続補正１４】
【補正対象書類名】明細書
【補正対象項目名】００３９
【補正方法】変更
【補正の内容】
【００３９】
そして保持部２７の側片２７ｃの湾曲部２７ｄをコンタクト２２の接触面部４２ａの突起４５が乗り越えて湾曲部２７ｄの下側に位置して係合するとともに、ヘッダ４０のボディ４１の側壁４２Ｂの外側面に沿う補強金具４６の外側面の突起４７が上記ソケット２０のボディ２１側の上記ロック用係合凹部（図示せず）に係合してロックされ、ヘッダ４０のボディ４１の側壁４２Ａ，４２Ｂがソケット２０の凹所２１ａに完全に嵌合された状態になり、ヘッダ４０への押し込みによるポスト４２の下向き移動が止まると、コンタクト２２の傾斜片２２ｂには撓み時に蓄積されたばね力によって横片２２ａとの境界部位を中心として折り返し部２２ｆを上方向へ移動させる方向に復帰する力が働き、また同様に傾斜片２２ｃも折り返し部２２ｆを中心として上向きの復帰する力が働き、その結果接触片２２ｃが屈曲部２２ｅをポスト４２の接触面部４２ｂに摺動させながら上方向へ移動して元の位置に戻り、ポスト４２の接触面部４２ｂを所定の接触圧で押圧する。これにより大きな接触圧を得るとともにポスト４２のコンタクト２２への有効嵌合長を十分に確保することができることになる。


【手続補正１５】
【補正対象書類名】明細書
【補正対象項目名】００４０
【補正方法】変更
【補正の内容】
【００４０】
このように構成した本実施形態では、ポスト４２に接触面部４２ａに接触する保持部２７の側片２７ｃの湾曲部２７ｄを投影した位置の水平線上の位置と、コンタクト２２の接触片２２ｄの屈曲部２２ｅの位置を投影した水平線上の位置との間の距離を短くするができて、強いコンタクト２２の接触圧を確保するとともに有効嵌合長を十分にとることができ、更に、屈曲部２２ｅの位置からコンタクト２２の撓みの中心となる傾斜片２２ｂの基端までの距離を長くすることによって応力を小さくすることができ、しかも傾斜片２２ｂに基端から中央部にかけて徐々に幅狭となるテーパー部２２ｇを設けることで応力を分散させて折り返し部２２ｆに応力が集中するのを無くすこともできる。


【手続補正１６】
【補正対象書類名】明細書
【補正対象項目名】００４３
【補正方法】変更
【補正の内容】
【００４３】
（実施形態３）
実施形態１では、ポスト４２の突起４５と係合する湾曲部位２７ｄを保持部２７の側片２７ｃの上端部からやや下方位置まで厚肉部としてそれより下方の薄肉部との間に段差２７ｅを図８に示すように形成し、この段差２７ｅにポスト４２の突起４５を係合させるようにしても良く、この場合厚肉部がポスト４２の接触面部４２ａとの接触部となる。


【手続補正１７】
【補正対象書類名】明細書
【補正対象項目名】００４４
【補正方法】変更
【補正の内容】
【００４４】
【発明の効果】
請求項１の発明では、合成樹脂成型品で、一面の両側に嵌合用の側壁を両端方向に亘るように形成した扁平な第１のボディと、上記側壁に両端方向に一定間隔で保持された導電性金属板製のポストとを備えたヘッダと、このヘッダの両側側壁を嵌合する凹所を一面の両側に設けた第２のボディと、上記凹所の両端方向に直交するとともに凹所を跨ぐように凹所の両端方向に一定間隔で設けた各凹部内に収納される複数の導電性金属板製のコンタクトとを備えたソケットとで構成され、上記ポストは、上記第１のボディの上記側壁の外側面に露出させた第１の接触面部と上記側壁の内側面に露出させた第２の接触面部と、両接触面部間を一体連結して上記側壁の先端部を覆う中央連結部とからなり、上記第２の接触面部の一端には一部が上記側壁基部にインサートされ、上記第１のボディの他面側から上記側壁に直交する外側方へ突出された端子部を一体に備え、上記コンタクトは、収納される上記凹部の外側の壁に一端が保持されるとともに該外側の壁の内面に沿うように配置され、対応する上記ポストの第１の接触面部が接触する接触部を有する第１の接触片と、上記凹部の底部側の第１の接触片の一端から上記凹部の底部に並行するように延長形成された横片と、この横片の先端から凹部の底部との間で撓み可能な隙間を設けるように延長形成された第１の撓み片と、この第１の撓み片の先部から折り返し、この折り返し部位から上記第１の接触片側へ延長形成した第２の撓み片と、この第２の撓み片の先端から凹部の底部方向に屈曲部を第１の接触片方向に突出させた略く字状の第２の接触片とからなり、上記第１の接触片と該第１の接触片の他端に一端が連結され上記凹部の外側の壁の先端を亘る中央片と該片の他端から該壁の外側面に沿うように第２のボディの他面側へ延長された外側片とで構成された保持部と、該外側片の延長先端から該外側片に直交する外方向へ突出された端子部とを一体に備えたもので、少なくともコンタクトの横片、第１，第２の接触片、第２の接触片の厚さを保持部の中央片、外側片及び端子部の厚さより薄く形成してばね性を持たせるとともに、上記第２の接触片の屈曲部と、上記第１の接触片の接触部との間の水平面への投影距離をポストの両側接触面部間の寸法よりも小さくしたので、該寸法に対してコンタクトの第２の接触片の屈曲部から、ばね性を持つ横片の基端までの距離が大きくとれ、そのためソケットに対するヘッダの嵌合時に、ポストの圧入力を受けてコンタクトに発生する応力をコンタクトの全長で分散させることができ且つ十分なポストへの接触力を確保することができ、接触信頼性を高めることができる上にへたりにくにいコンタクトを持つソケットを実現でき、その上ポストとコンタクトとの接触が２点接触であるためポストのコンタクトへの圧入時のこじり等によるストレスに強くなるという効果がある。


【手続補正１８】
【補正対象書類名】明細書
【補正対象項目名】００４５
【補正方法】変更
【補正の内容】
【００４５】
請求項２の発明では、請求項１の発明において、導電性金属板を潰してコンタクトの少なくともコンタクトの横片、第１，第２の接触片、第２の接触片の厚さを保持部の中央片、外側片及び端子部の厚さより薄く形成したので、コンタクトのこれらの片のばね特性が加工硬化により良くなる上に、保持部及び端子部の厚さを確保することで十分な強度が得られ、ボディへの組み込み前や、組み込み時の変形が防止できるという効果がある。


【手続補正１９】
【補正対象書類名】明細書
【補正対象項目名】００４６
【補正方法】変更
【補正の内容】
【００４６】
請求項３の発明では、請求項１又は２の発明において、上記第１の撓み片を上記横片から上記折り返し部位へ上がり傾斜した傾斜片で形成し、上記第２の撓み片を上記折り返し部位から先端まで上がり傾斜した傾斜片で形成し、上記折り返し部位の高さ位置と、上記第２の接触片の屈曲部の高さ位置をほぼ同じ高さ位置とするとともに、ポストが第１、第２の接触片間に所定位置まで圧入される途中で第１，第２の撓み片の撓みにより第２の接触片の下端が横片に当接可能なように第２の接触片の下端位置を設定し、ポストの所定位置への圧入時に第１、第２の撓み片を撓み時に蓄積されたばね力により元の位置へ復帰可能としてあるので、ポストのコンタクトへの圧入時にポストの圧入力によって第１、第２の撓み片を下方向へ撓わませて、コンタクトの接触片の屈曲部とポストの第２の接触面部との摩擦力を小さくする方向に折り返し部位を移動させることができ、そのためポストをコンタクトに対して、座屈変形させることなく圧入することができ、またポストのコンタクトへの所定位置までの圧入時に第１，２の撓み片の復帰力で接触片の屈曲部を所定位置まで復帰させることができるので、ポストのコンタクトへの圧入長を低背でも十分にとれることができ、接触信頼性も更に高くなるという効果がある。


【手続補正２０】
【補正対象書類名】図面
【補正対象項目名】図１
【補正方法】変更
【補正の内容】
【図１】
2004055463.tif 000001
【手続補正２１】
【補正対象書類名】図面
【補正対象項目名】図１０
【補正方法】変更
【補正の内容】
【図１０】
2004055463.tif 000002